(57)【要約】【課題】熱交換器を通過する空気の流れにおいて、偏流を緩和することができる空気調和機を提供する。【解決手段】空気調和機は、ケーシングと、フィルター３ａと、室内熱交換器４と、送風装置と、吹き出し通路とを備える。ケーシングは、室内から取り入れられる空気が通る吸込み口と、室内へ吹き出される空気が通る吹出し口とを有する。フィルター３ａは、吸込み口の下流に設けられ、空気が透過する部材である。室内熱交換器４は、フィルター３ａの下流においてフィルター３ａに対向して配置され、通過する空気との間で熱交換を行う。送風装置は、室内熱交換器４の下流に配置され、吸込み口から吸い込まれ吹出し口から吹き出される空気の流れを生成する。吹き出し通路は、室内熱交換器４の下流において室内熱交換器４と対向して配置される空気導入口を有し、空気導入口から吹出し口まで空気を案内する。そして、フィルター３ａは、室内熱交換器４に対して傾斜した外形を有する。【選択図】図４
2007183014.tif 000002
【特許請求の範囲】
【請求項１】
室内から取り入れられる空気が通る吸込み口（８−１１）と、室内へ吹き出される空気が通る吹出し口（６，７）とを有するケーシング（２）と、
前記吸込み口（８−１１）の下流に設けられ空気が透過するフィルター（３ａ−３ｄ）と、
前記フィルター（３ａ−３ｄ）の下流において前記フィルター（３ａ−３ｄ）に対向して配置され、通過する空気との間で熱交換を行う熱交換器（４）と、
前記熱交換器（４）の下流に配置され、前記吸込み口（８−１１）から吸い込まれ前記吹出し口（６，７）から吹き出される空気の流れを生成する遠心ファン（５）と、
前記熱交換器（４）の下流において前記熱交換器（４）と対向して配置される空気導入口（１４）を有し、前記空気導入口（１４）から前記吹出し口（６，７）まで空気を案内する吹き出し通路（Ｐ２，Ｐ３）と、
を備え、
前記フィルター（３ａ−３ｄ）は、前記熱交換器（４）に対して傾斜した外形を有する、
空気調和機（１）。
【請求項２】
前記ケーシング（２）は、正面に設けられるパネル部（２０）をさらに有し、
前記吸込み口（８−１１）は、前記パネル部（２０）の周囲に設けられており、
前記フィルター（３ａ−３ｄ）は前記パネル部（２０）に対向して配置され、
前記フィルター（３ａ−３ｄ）の前記パネル部（２０）側の表面は、前記熱交換器（４）に対して傾斜した形状を有する、
請求項１に記載の空気調和機（１）。
【請求項３】
前記フィルター（３ａ−３ｄ）の前記パネル部（２０）側の表面は、前記パネル部（２０）側に突出した凸状の形状を有する、
請求項２に記載の空気調和機（１）。
【請求項４】
前記吸込み口（８−１１）は、前記パネル部（２０）を間に挟んで配置される第１吸込み口（８）および第２吸込み口（９）を有し、
前記フィルター（３ａ，３ｃ）の前記パネル部（２０）側の表面は、前記第１吸込み口（８）側に配置される第１傾斜面（３１ａ，３１ｃ）と、前記第２吸込み口（９）側に配置される第２傾斜面（３２ａ，３２ｃ）とを有する、
請求項２または３に記載の空気調和機（１）。
【請求項５】
前記吸込み口（８−１１）は、前記第１吸込み口（８）と第２吸込み口（９）とを結ぶ方向に直交する方向において前記パネル部（２０）を間に挟んで配置される第３吸込み口（１０）と第４吸込み口（１１）とをさらに有し、
前記フィルター（３ａ）の前記パネル部（２０）側の表面は、第３吸込み口（１０）側に配置される第３傾斜面（３３ａ）と、前記第４吸込み口（１１）側に配置される第４傾斜面（３４ａ）とをさらに有する、
請求項４に記載の空気調和機（１）。
【請求項６】
前記吸込み口（８−１１）は、前記パネル部（２０）を間に挟んで配置される第１吸込み口（８）および第２吸込み口（９）を有し、
前記フィルター（３ｄ）の前記パネル部（２０）側の表面は、前記第１吸込み口（８）側と前記第２吸込み口（９）側とを結ぶ方向における中間部分が前記パネル部（２０）側に突出するように湾曲した曲面部（３１ｄ）を有する、
請求項２または３に記載の空気調和機（１）。
【請求項７】
前記吸込み口（８−１１）は、前記パネル部（２０）を間に挟んで４方に分かれて配置される第１吸込み口（８）と第２吸込み口（９）と第３吸込み口（１０）と第４吸込み口（１１）とを有し、
前記フィルター（３ｂ）の前記パネル部（２０）側の表面は、前記パネル部（２０）側に突出した球面状の球面部（３１ｂ）を有する、
請求項２または３に記載の空気調和機（１）。
【請求項８】
室内から取り入れられる空気が通る吸込み口（８−１１）と、室内へ吹き出される空気が通る吹出し口（６，７）とを有するケーシング（２）と、
前記吸込み口（８−１１）の下流に設けられ空気が透過するフィルター（３ｅ）と、
前記フィルター（３ｅ）の下流において前記フィルター（３ｅ）に対向して配置され、通過する空気との間で熱交換を行う熱交換器（４）と、
前記熱交換器（４）の下流に配置され、前記吸込み口（８−１１）から吸い込まれ前記吹出し口（６，７）から吹き出される空気の流れを生成する遠心ファン（５）と、
前記熱交換器（４）の下流において前記熱交換器（４）と対向して配置される空気導入口（１４）を有し、前記空気導入口（１４）から前記吹出し口（６，７）まで空気を案内する吹き出し通路（Ｐ２，Ｐ３）と、
を備え、
前記フィルター（３ｅ）は、前記空気導入口（１４）の縁部に対向する位置に設けられ他の部分より厚みが大きい肉厚部（３１ｅ）を有する、
空気調和機（１）。
【請求項９】
前記ケーシング（２）は、正面に設けられるパネル部（２０）をさらに有し、
前記吸込み口（８−１１）は、前記パネル部（２０）の周囲に設けられており、
前記フィルター（３ｅ）は前記パネル部（２０）に対向して配置されている、
請求項８に記載の空気調和機（１）。
【発明の詳細な説明】
【技術分野】
【０００１】
本発明は、空気調和機に関する。
【背景技術】
【０００２】
空気調和機には、吸込み口と吹出し口とが設けられたケーシングと、吸込み口の下流に配置されるフィルターと、フィルターの下流においてフィルターに対向して配置される熱交換器と、遠心ファンと、吹き出し通路とを備えたものがある（特許文献１参照）。吹き出し通路は、熱交換器の下流において熱交換器と対向して配置される空気導入口を有し、この空気導入口から吹出し口まで空気を案内する通路である。遠心ファンは、吸込み口から吸い込まれ、フィルター、熱交換器、吹き出し通路を通って、吹出し口から吹き出される空気の流れを生成する。
【特許文献１】特開昭６１−７９９３８号公報
【発明の開示】
【発明が解決しようとする課題】
【０００３】
上記のような空気調和機では、吸込み口から吸い込まれた室内の空気は、フィルターおよび熱交換器を通った後に、空気導入口から吹き出し通路に入る。この場合、空気の流速は空気導入口の周縁近傍において大きくなり易く、空気導入口の周縁近傍を流れる空気の流量が多くなる。このため、熱交換器を通過する空気の流れに偏りが生じ易くなり、熱交換の効率が低下する恐れがある。
【０００４】
本発明の課題は、熱交換器を通過する空気の流れにおいて、偏流を緩和することができる空気調和機を提供することにある。
【課題を解決するための手段】
【０００５】
第１発明に係る空気調和機は、ケーシングと、フィルターと、熱交換器と、遠心ファンと、吹き出し通路とを備える。ケーシングは、室内から取り入れられる空気が通る吸込み口と、室内へ吹き出される空気が通る吹出し口とを有する。フィルターは、吸込み口の下流に設けられ、空気が透過する部材である。熱交換器は、フィルターの下流においてフィルターに対向して配置され、通過する空気との間で熱交換を行う。遠心ファンは、熱交換器の下流に配置され、吸込み口から吸い込まれ吹出し口から吹き出される空気の流れを生成する。吹き出し通路は、熱交換器の下流において熱交換器と対向して配置される空気導入口を有し、空気導入口から吹出し口まで空気を案内する。そして、フィルターは、熱交換器に対して傾斜した外形を有する。
この空気調和機では、フィルターは、熱交換器に対して傾斜した外形を有する。このため、フィルターが熱交換器に対して平行な外形を有する場合と比べて、フィルターを通過する空気の流れに変化を生じさせることができる。これにより、この空気調和機では、熱交換器を通過する空気の流れにおいて、偏流を緩和することができる。
【０００６】
第２発明に係る空気調和機は、第１発明の空気調和機であって、ケーシングは、前面に設けられるパネル部をさらに有しており、吸込み口は、パネル部の周囲に設けられている。また、フィルターはパネル部に対向して配置されており、フィルターのパネル部側の表面は、熱交換器に対して傾斜した形状を有する。
【０００７】
この空気調和機では、パネル部の周囲から吸い込まれた空気はパネル部の内面に沿って進むと共に、流れの方向を変化させながらフィルターを透過して熱交換器へと進む。ここで、フィルターのパネル部側の表面は熱交換器に対して傾斜した形状であるため、フィルターの部分によって空気の透過し易さが異なる。これにより、この空気調和機では、熱交換器を通過する空気の流れにおいて、偏流を緩和することができる。
【０００８】
第３発明に係る空気調和機は、第２発明の空気調和機であって、フィルターのパネル部側の表面は、パネル部側に突出した凸状の形状を有する。
この空気調和機では、フィルターのパネル部側の表面がパネル部側に突出した凸状の形状であるため、フィルターの部分によって空気の透過し易さが異なる。これにより、この空気調和機では、熱交換器を通過する空気の流れにおいて、偏流を緩和することができる。
【０００９】
第４発明に係る空気調和機は、第２発明または第３発明の空気調和機であって、吸込み口は、パネル部を間に挟んで配置される第１吸込み口および第２吸込み口を有する。そして、フィルターのパネル部側の表面は、第１吸込み口側に配置される第１傾斜面と、第２吸込み口側に配置される第２傾斜面とを有する。
この空気調和機では、第１吸込み口から吸い込まれた空気は、第１傾斜面を透過することにより、熱交換器を通過する際の流れの偏りを緩和することができる。また、第２吸込み口から吸い込まれた空気は、第２傾斜面を透過することにより、熱交換器を通過する際の流れの偏りを緩和することができる。このため、この空気調和機では、２方向から空気が吸い込まれる場合でも、熱交換器を通過する空気の流れにおいて、偏流を緩和することができる。
【００１０】
第５発明に係る空気調和機は、第４発明の空気調和機であって、吸込み口は、第１吸込み口と第２吸込み口とを結ぶ方向に直交する方向においてパネル部を間に挟んで配置される第３吸込み口と第４吸込み口とをさらに有する。そして、フィルターのパネル部側の表面は、第３吸込み口側に配置される第３傾斜面と、第４吸込み口側に配置される第４傾斜面とをさらに有する。
【００１１】
この空気調和機では、第１吸込み口から吸い込まれた空気は、第１傾斜面を透過することにより、熱交換器を通過する際の流れの偏りを緩和することができる。第２吸込み口から吸い込まれた空気は、第２傾斜面を透過することにより、熱交換器を通過する際の流れの偏りを緩和することができる。第３吸込み口から吸い込まれた空気は、第３傾斜面を透過することにより、熱交換器を通過する際の流れの偏りを緩和することができる。また、第４吸込み口から吸い込まれた空気は、第４傾斜面を透過することにより、熱交換器を通過する際の流れの偏りを緩和することができる。このため、この空気調和機では、４方向から空気が吸い込まれる場合でも、熱交換器を通過する空気の流れにおいて、偏流を緩和することができる。
【００１２】
第６発明に係る空気調和機は、第２発明または第３発明の空気調和機であって、吸込み口は、パネル部を間に挟んで配置される第１吸込み口および第２吸込み口を有する。そして、フィルターのパネル部側の表面は、第１吸込み口側と第２吸込み口側とを結ぶ方向における中間部分がパネル部側に突出するように湾曲した曲面部を有する。
この空気調和機では、第１吸込み口からと第２吸込み口からとの２方向から吸い込まれた空気が曲面部を透過する。そして、曲面部によって空気の流れに変化を生じさせることができる。これにより、この空気調和機では、熱交換器を通過する空気の流れにおいて、偏流を緩和することができる。
【００１３】
第７発明に係る空気調和機は、第２発明または第３発明の空気調和機であって、吸込み口は、パネル部を間に挟んで４方に分かれて配置される第１吸込み口と第２吸込み口と第３吸込み口と第４吸込み口とを有する。そして、フィルターのパネル部側の表面は、パネル部側に突出した球面状の形状を有する。
この空気調和機では、フィルターのパネル部側の表面が上記のような球面状の球面部を有するため、４方向から空気が吸い込まれる場合でも、熱交換器を通過する空気の流れにおいて、偏流を緩和することができる。
【００１４】
第８発明に係る空気調和機は、ケーシングと、フィルターと、熱交換器と、遠心ファンと、吹き出し通路とを備える。ケーシングは、室内から取り入れられる空気が通る吸込み口と、室内へ吹き出される空気が通る吹出し口とを有する。フィルターは、吸込み口の下流に設けられ、空気が透過する部材である。熱交換器は、フィルターの下流においてフィルターに対向して配置され、通過する空気との間で熱交換を行う。遠心ファンは、熱交換器の下流に配置され、吸込み口から吸い込まれ吹出し口から吹き出される空気の流れを生成する。吹き出し通路は、熱交換器の下流において熱交換器と対向して配置される空気導入口を有し、空気導入口から吹出し口まで空気を案内する。そして、フィルターは、空気導入口の縁部に対向する位置に設けられ他の部分より厚みが大きい肉厚部を有する。
【００１５】
この空気調和機では、フィルターのうち空気導入口の縁部に対向する部分は、他の部分より大きな厚みを有するため、フィルターの透過し易さが他の部分と異なる。このため、フィルターが均一な厚さを有する場合と比べて、フィルターを通過する空気の流れに変化を生じさせることができる。これにより、この空気調和機では、熱交換器を通過する空気の流れにおいて、偏流を緩和することができる。
【００１６】
第９発明に係る空気調和機は、第８発明の空気調和機であって、ケーシングは、前面に設けられるパネル部をさらに有し、吸込み口は、パネル部の周囲に設けられている。また、フィルターはパネル部に対向して配置される。
この空気調和機では、パネル部の周囲から吸い込まれた空気はパネル部の内面に沿って進むと共に、流れの方向を変化させながらフィルターを透過して熱交換器へと進む。ここで、フィルターのうち空気導入口の縁部に対向する部分は、他の部分より大きな厚みを有するため、フィルターの透過し易さが他の部分と異なる。これにより、この空気調和機では、熱交換器を通過する空気の流れにおいて、偏流を緩和することができる。
【発明の効果】
【００１７】
第１発明に係る空気調和機では、フィルターは、熱交換器に対して傾斜した外形を有する。このため、フィルターが熱交換器に対して平行な外形を有する場合と比べて、フィルターを通過する空気の流れに変化を生じさせることができる。これにより、この空気調和機では、熱交換器を通過する空気の流れにおいて、偏流を緩和することができる。
第２発明に係る空気調和機では、パネル部の周囲から吸い込まれた空気はパネル部の内面に沿って進むと共に、流れの方向を変化させながらフィルターを透過して熱交換器へと進む。ここで、フィルターのパネル部側の表面は熱交換器に対して傾斜した形状であるため、フィルターの部分によって空気の透過し易さが異なる。これにより、この空気調和機では、熱交換器を通過する空気の流れにおいて、偏流を緩和することができる。
【００１８】
第３発明に係る空気調和機では、フィルターのパネル部側の表面がパネル部側に突出した凸状の形状であるため、フィルターの部分によって空気の透過し易さが異なる。これにより、この空気調和機では、熱交換器を通過する空気の流れにおいて、偏流を緩和することができる。
第４発明に係る空気調和機では、第１吸込み口から吸い込まれた空気は、第１傾斜面を透過することにより、熱交換器を通過する際の流れの偏りを緩和することができる。また、第２吸込み口から吸い込まれた空気は、第２傾斜面を透過することにより、熱交換器を通過する際の流れの偏りを緩和することができる。このため、この空気調和機では、２方向から空気が吸い込まれる場合でも、熱交換器を通過する空気の流れにおいて、偏流を緩和することができる。
【００１９】
第５発明に係る空気調和機では、第１吸込み口から吸い込まれた空気は、第１傾斜面を透過することにより、熱交換器を通過する際の流れの偏りを緩和することができる。第２吸込み口から吸い込まれた空気は、第２傾斜面を透過することにより、熱交換器を通過する際の流れの偏りを緩和することができる。第３吸込み口から吸い込まれた空気は、第３傾斜面を透過することにより、熱交換器を通過する際の流れの偏りを緩和することができる。また、第４吸込み口から吸い込まれた空気は、第４傾斜面を透過することにより、熱交換器を通過する際の流れの偏りを緩和することができる。このため、この空気調和機では、４方向から空気が吸い込まれる場合でも、熱交換器を通過する空気の流れにおいて、偏流を緩和することができる。
【００２０】
第６発明に係る空気調和機では、第１吸込み口からと第２吸込み口からとの２方向から吸い込まれた空気が曲面部を透過する。そして、曲面部によって空気の流れに変化を生じさせることができる。これにより、この空気調和機では、熱交換器を通過する空気の流れにおいて、偏流を緩和することができる。
第７発明に係る空気調和機では、フィルターのパネル部側の表面が上記のような球面状の球面部を有するため、４方向から空気が吸い込まれる場合でも、熱交換器を通過する空気の流れにおいて、偏流を緩和することができる。
【００２１】
第８発明に係る空気調和機では、フィルターのうち空気導入口の縁部に対向する部分は、他の部分より大きな厚みを有するため、フィルターの透過し易さが他の部分と異なる。このため、フィルターが均一な厚さを有する場合と比べて、フィルターを通過する空気の流れに変化を生じさせることができる。これにより、この空気調和機では、熱交換器を通過する空気の流れにおいて、偏流を緩和することができる。
【００２２】
第９発明に係る空気調和機では、パネル部の周囲から吸い込まれた空気はパネル部の内面に沿って進むと共に、流れの方向を変化させながらフィルターを透過して熱交換器へと進む。ここで、フィルターのうち空気導入口の縁部に対向する部分は、他の部分より大きな厚みを有するため、フィルターの透過し易さが他の部分と異なる。これにより、この空気調和機では、熱交換器を通過する空気の流れにおいて、偏流を緩和することができる。
【発明を実施するための最良の形態】
【００２３】
＜第１実施形態＞
本発明の一実施形態に係る空気調和機１を図１から図３に示す。図１は、空気調和機１の前面図であり、図２は、空気調和機１の側面図である。また、図３は、空気調和機１の側面断面図である。この空気調和機１は、床置き型の室内機であり、ケーシング２と、フィルター３ａと、室内熱交換器４と、送風装置５とを備える。なお、以下の説明において、上下左右という場合は、空気調和機１の前面視における上下左右を意味している。
【００２４】
〔ケーシング２〕
ケーシング２は、合成樹脂製の中空の筐体からなり、フィルター３ａ、室内熱交換器４、ベルマウス１３、送風装置５を内部に収納している。ケーシング２には、第１吹出し口６、第２吹出し口７、第１吸込み口８，第２吸込み口９、第３吸込み口１０、第４吸込み口１１が設けられている。
【００２５】
第１吹出し口６と第２吹出し口７とはケーシング２の前面に設けられている。第１吹出し口６は、ケーシング２の前面の上端に沿って設けられた横長形状の開口であり、室内へ吹き出される空気が通る。第２吹出し口７は、ケーシング２の前面の下端に沿って設けられた横長形状の開口であり、室内へ吹き出される空気が通る。なお、第１吹出し口６には、第１吹出し口６から吹き出される空気を案内する第１フラップ６１が回動自在に設けられており、第１フラップ６１によって第１吹出し口６を開閉することができる。また、第２吹出し口７には、第２吹出し口７から吹き出される空気を案内する第２フラップ６２が回動自在に設けられている。
【００２６】
第１吸込み口８と第２吸込み口９とは、ケーシング２の側面に設けられている。第１吸込み口８は、ケーシング２の右側面の前端に沿って設けられた縦長形状の開口であり、室内からケーシング２の内部に吸い込まれる空気が通る。第２吸込み口９は、ケーシング２の左側面の前端に沿って設けられた縦長形状の開口であり、室内からケーシング２の内部に吸い込まれる空気が通る。
【００２７】
第３吸込み口１０と第４吸込み口１１とはケーシング２の前面に設けられている。第３吸込み口１０は、第１吹出し口６の下方に設けられた横長形状の開口であり、室内からケーシング２の内部に吸い込まれる空気が通る。第４吸込み口１１は、第２吹出し口７の上方に設けられた横長形状の開口であり、室内からケーシング２の内部に吸い込まれる空気が通る。また、ケーシング２の前面のうち第３吸込み口１０と第４吸込み口１１との間には、開口が設けられていない平坦なフラットパネル部２０が設けられている。
【００２８】
なお、ケーシング２は、ケーシング本体２１と、ケーシング本体２１の前面に着脱自在に取り付けられる前面パネル２２とを有しており、第２吹出し口７と、第１吸込み口８、第２吸込み口９、第３吸込み口１０、第４吸込み口１１は、前面パネル２２に設けられている。なお、第１吹出し口６は本体ケーシング２１に設けられている。
前面パネル２２は、ケーシング本体２１の前面よりも小さな外形を有しており、前面視において、第１吹出し口６の下方に配置されている。第３吸込み口１０は、前面パネル２２の上端近傍に配置されており、第２吹出し口７は、前面パネル２２の下端近傍に配置されている。なお、第４吸込み口１１は上述したように第２吹出し口７の上方に設けられている。また、前面パネル２２の前面は、ケーシング本体２１の前面から前方に僅かな距離を隔てて配置されており、前面パネル２２の前面側端部とケーシング本体２１の前面とを繋ぐ前面パネル２２の側面に、第１吸込み口８および第２吸込み口９が設けられている。また、前面パネル２２の前面上端部とケーシング本体２１の前面とを繋ぐ前面パネル２２の上面と、前面パネル２２の前面下端とケーシング本体２１の前面とを繋ぐ前面パネル２２の下面とは閉じられている。なお、第３吸込み口１０は、前面パネル２２の前面ではなく、前面パネル２２の上面に設けられてもよい。
【００２９】
以上のように、ケーシング２には、前面パネル２２のフラットパネル部２０の周囲の上下左右４方向には、それぞれ第３吸込み口１０から第２吸込み口９が配置されており、フラットパネル部２０の上下左右４方向から空気が吸い込まれる。
ケーシング本体２１は、前面が大きく開口しており、ケーシング本体２１の内部には、フィルター３ａ、室内熱交換器４、ベルマウス１３、送風装置５が、ケーシング本体２１の前面の開口に対向して、前方から後方に向けて順に配置されている。
【００３０】
また、ケーシング２の内部には、図３に示すように、吸い込み通路Ｐ１と吹き出し通路Ｐ２，Ｐ３とが形成されている。
吸い込み通路Ｐ１は、前面パネル２２の後方に形成されており、第１吸込み口８、第２吸込み口９、第３吸込み口１０、第４吸込み口１１から吸い込まれた空気をベルマウス１３の空気導入口１４まで案内する。吸い込み通路Ｐ１には、フィルター３ａ、室内熱交換器４が配置されている。
【００３１】
吹き出し通路Ｐ２，Ｐ３は、室内熱交換器４の下流において室内熱交換器４と対向して配置されるベルマウス１３の空気導入口１４（後述）から第１吹出し口６および第２吹出し口７まで案内する通路であり、第１吹き出し通路Ｐ２と第２吹き出し通路Ｐ３とを有する。第１吹き出し通路Ｐ２は、空気導入口１４から後方へ向かい送風装置５のファンカバー５３（後述）の内部を通って第１吹出し口６に繋がる通路である。第２吹き出し通路Ｐ３は、空気導入口１４から後方へ向かいファンカバー５３の内部を通って第２吹出し口７に繋がる通路である。
【００３２】
〔フィルター３ａ〕
フィルター３ａは、フラットパネル部２０の後方においてフラットパネル部２０に対向して配置されており、ケーシング本体２１の前面の開口を覆うように取り付けられている。フィルター３ａは、吸い込み通路Ｐ１を通る空気の流れにおいて、各吸込み口８−１１の下流に位置している。フィルター３ａは、各吸込み口８−１１から吸い込まれた空気を後方に透過させ、透過する空気を清浄化する。フィルター３ａの形状については後に詳述する。
【００３３】
〔室内熱交換器４〕
室内熱交換器４は、図示しない室外熱交換器と共に冷媒回路を構成しており、通過する空気との間で熱交換を行う。室内熱交換器４は、フィルター３ａの後方にフィルター３ａに対向して配置されており、吸い込み通路Ｐ１を通る空気の流れにおいて、フィルター３ａの下流に位置している。室内熱交換器４は、薄い板状の外形を有しており、前面視においてフィルター３ａと同程度の大きさを有する。室内熱交換器４は、フラットパネル部２０に平行に設けられている。
【００３４】
〔送風装置５〕
送風装置５は、室内熱交換器４の後方において室内熱交換器４に対向して配置されている。送風装置５は、吸い込み通路Ｐ１および吹き出し通路Ｐ２，Ｐ３を通る空気の流れにおいて、室内熱交換器４の下流に位置している。また、送風装置５は、遠心方向に風を吹き出す遠心ファンの一種であるターボファンであり、各吸込み口８−１１から吸い込まれ各吹出し口６，７から吹き出される空気の流れを生成する。送風装置５は、ファンロータ５１、ファンモータ５２、ファンカバー５３を有している。
【００３５】
ファンロータ５１は、回転軸ＡＸ１が前後方向に水平になるように配置されており、回転軸ＡＸ１から螺旋を描きながら離れるように配置された複数枚の羽根を有している。
ファンモータ５２は、ファンロータ５１を回転駆動する駆動源であり、ファンロータ５１の後方に配置される。
ファンカバー５３は、ファンロータ５１の前方に配置される部材であり、空気導入口１４から吹き出される空気をファンロータ５１に案内する。ファンカバー５３の前面には、ファンカバー５３内に取り込まれる空気が通る開口が設けられている。ファンカバー５３の前面の開口を通った空気は、ファンロータ５１によって遠心方向に吹き出されることにより上下に分岐し、第１吹出し口６および第２吹出し口７から室内に吹き出される。
【００３６】
〔ベルマウス１３〕
ベルマウス１３は、室内熱交換器４と送風装置５との間に設けられており、吸い込み通路Ｐ１と吹き出し通路Ｐ２，Ｐ３とを仕切る部材である。ベルマウス１３は、平坦部１５と円管部１６とを有している。平坦部１５は、前面視において室内熱交換器４と同程度の大きさの外形を有しており、室内熱交換器４の後面に対向して室内熱交換器４と平行に設けられている。平坦部１５には、上述した空気導入口１４が設けられており、平坦部１５の空気導入口１４の周縁に円管部１６の前端が繋がっている。なお、円管部１６は前端側が拡径するように湾曲しており、空気導入口１４の周縁と緩やかに繋がっている。また、円管部１６の後端は、ファンカバー５３の前面の開口を通ってファンカバー５３の内部に入り込んでいる。なお、空気導入口１４は、前面視において室内熱交換器４よりも小さな外形を有しており、円管部１６も前面視において室内熱交換器４よりも小さな外形を有している。
【００３７】
〔フィルター３ａの形状〕
以下、本発明において特徴的なフィルター３ａの形状について説明する。図４および図５に示すように、フィルター３ａのフラットパネル部２０側の表面は、フラットパネル部２０側に突出した凸状の形状を有しており、室内熱交換器４、フラットパネル部２０およびベルマウス１３の平坦部１５に対して傾斜した外形を有する。なお、図４（ａ）は、フィルター３ａ近傍の構成を示す上面断面図であり、図４（ｂ）はフィルター３ａ近傍の構成を示す側面断面図である。また、図５は、フィルター３ａの前面図である。
【００３８】
フィルター３ａのフラットパネル部２０側の表面は、第１傾斜面３１ａ、第２傾斜面３２ａ、第３傾斜面３３ａ、第４傾斜面３４ａを有する。第１傾斜面３１ａ、第２傾斜面３２ａ、第３傾斜面３３ａ、第４傾斜面３４ａは、それぞれ平坦な形状を有しており、これらが組み合わされることによってフィルター３ａの凸状の形状を形成している。
第１傾斜面３１ａは、フィルター３ａを上下左右の４つに分けた中の右側（第１吸込み口８側）に配置されており、図５に示すように、第３傾斜面３３ａと第４傾斜面３４ａとの間に配置されている。第１傾斜面３１ａは、左端部が右端部よりもフラットパネル部２０に近づくように傾斜している。このため、第１傾斜面３１ａとフラットパネル部２０との間の空間は、右側が広く左側すなわちフィルター３ａの中央部側ほど狭くなっている。
【００３９】
第２傾斜面３２ａは、左側（第２吸込み口９側）に配置されており、第３傾斜面３３ａと第４傾斜面３４ａの間であって、第１吸込み口８の左側方に配置されている。第２傾斜面３２ａは、右端部が左端部よりもフラットパネル部２０に近づくように傾斜している。このため、第２傾斜面３２ａとフラットパネル部２０との間の空間は、左側が広く右側すなわちフィルター３ａの中央部側ほど狭くなっている。
【００４０】
第３傾斜面３３ａは、上側（第３吸込み口１０側）に配置されており、図４（ｂ）に示すように、下端部が上端部よりも前面パネル２２に近づくように傾斜している。このため、第３傾斜面３３ａとフラットパネル部２０との間の空間は、上方が広く下方すなわちフィルター３ａの中央部側ほど狭くなっている。
第４傾斜面３４ａは、下側（第４吸込み口１１側）に配置されており、第３傾斜面３３ａよりも下方に位置している。第４傾斜面３４ａは、上端部が下端部よりもフラットパネル部２０に近づくように傾斜している。このため、第４傾斜面３４ａとフラットパネル部２０との間の空間は、下方が広く上方すなわちフィルター３ａの中央部側ほど狭くなっている。
【００４１】
なお、第１傾斜面３１ａと第２傾斜面３２ａとは、左右方向に並んで配置され左右対称な形状を有している。また、第３傾斜面３３ａと第４傾斜面３４ａとは上下方向に並んで配置され上下対称な形状を有している。このため、フィルター３ａは、上下対称且つ左右対称な凸状の形状となっており、その中心は、ベルマウス１３の空気導入口１４に対向して配置されている。
【００４２】
〔特徴〕
（１）
この空気調和機１では、第１吸込み口８、第２吸込み口９、第３吸込み口１０、第４吸込み口１１から吸い込まれた空気は、フラットパネル部２０の内面に沿って進み、空気導入口１４に対向する位置近傍において空気導入口１４に向けて流れの向きを変える（図４の波線矢印参照）。ここで、フィルター３ａは上記のように傾斜した形状となっており、フラットパネル部２０の内面に沿って進む空気の進行方向に交差して配置されている。このため、フラットパネル部２０の内面に沿って進む空気の流速や流れの方向が、フィルター３ａの傾斜面３１ａ−３４ａに接触することによって変化する。これにより、ベルマウス１３の空気導入口１４の周縁部近傍に空気の流れが集中することを抑えることができ、室内熱交換器４を通る空気の流れにおける偏流を緩和することができる。
【００４３】
（２）
この空気調和機１では、第１吸込み口８、第２吸込み口９、第３吸込み口１０、第４吸込み口１１に対応して、第１傾斜面３１ａ、第２傾斜面３２ａ、第３傾斜面３３ａ、第４傾斜面３４ａが設けられている。このため、フラットパネル部２０の上下左右の４方向から空気が吸い込まれる場合でも、ベルマウス１３の空気導入口１４の周縁部近傍に空気の流れが集中することを抑えることができる。
【００４４】
＜第２実施形態＞
第１実施形態のフィルター３ａに代えて図６に示すフィルター３ｂが備えられてもよい。図６（ａ）は、フィルター３ｂ近傍の構成を示す上面断面図であり、図６（ｂ）は、フィルター３ｂの前面図である。このフィルター３ｂのフラットパネル部２０側の表面は、フラットパネル部２０側に突出した球面状の形状を有する球面部３１ｂを有する。球面部３１ｂはベルマウス１３の空気導入口１４に対向して配置されている。なお、ここでいう「球面」とは、厳密な球面であることまでを要せず、球面に近似した曲面であれば足りる。
【００４５】
他の構成については第１実施形態と同様である。
このフィルター３ｂでは、球面部３１ｂによって、フラットパネル部２０の内面に沿って進む空気の流速や流れの方向を変化させることができる。このため、このフィルター３ｂが用いられても、第１実施形態のフィルター３ａと同様に、室内熱交換器４を通る空気の流れにおける偏流を緩和することができる。また、フラットパネル部２０の上下左右の４方向から空気が吸い込まれる場合にも有効である。
【００４６】
＜第３実施形態＞
第１実施形態のフィルター３ａに代えて図７に示すフィルター３ｃが備えられてもよい。図７（ａ）は、フィルター３ｃ近傍の構成を示す上面断面図であり、図７（ｂ）は、フィルター３ｃの前面図である。このフィルター３ｃのフラットパネル部２０側の表面は、２つの傾斜面３１ｃ，３２ｃが左右対称に組み合わされた山型の形状を有している。具体的には、フィルター３ｃは、第１吸込み口８側（右側）に配置される第１傾斜面３１ｃと、第２吸込み口９側（左側）に配置される第２傾斜面３２ｃとを有している。第１傾斜面３１ｃの左端部は、第２傾斜面３２ｃの右端部と繋がっており、第１傾斜面３１ｃと第２傾斜面３２ｃとの接続部分が凸状の形状の頂点となっている。なお、第１傾斜面３１ｃおよび第２傾斜面３２ｃの傾斜の方向は、第１実施形態のフィルター３ａの第１傾斜面３１ａおよび第２傾斜面３２ａと同様である。
【００４７】
他の構成については第１実施形態と同様である。
このようなフィルター３ｃによっても、第１実施形態のフィルター３ａが用いられる場合と同様に、室内熱交換器４を通る空気の流れにおける偏流を緩和することができる。特に、このフィルター３ｃでは、フラットパネル部２０の左右２方向からの空気の吸い込みに有効である。
なお、上記のフィルター３ａを前後方向に平行な回転軸を中心に９０°回転させた形状のフィルターが備えられてもよい。この場合は、特に、フラットパネル部２０の上下２方向からの空気の吸い込みに有効である。
【００４８】
＜第４実施形態＞
第１実施形態のフィルター３ａに代えて図８に示すフィルター３ｄが備えられてもよい。図８（ａ）は、フィルター３ｄ近傍の構成を示す上面断面図であり、図８（ｂ）は、フィルター３ｄの前面図である。このフィルター３ｄのフラットパネル部２０側の表面は、左右方向における中間部分がフラットパネル部２０側に突出するように湾曲した曲面部３１ｄを有しており、左右対称な形状となっている。
【００４９】
他の構成については第１実施形態と同様である。
このようなフィルター３ｄによっても、第１実施形態のフィルター３ａが用いられる場合と同様に、室内熱交換器４を通る空気の流れにおける偏流を緩和することができる。特に、このフィルター３ｄでは、フラットパネル部２０の左右２方向から空気が吸い込まれる場合に有効である。
なお、上記のフィルター３ｄを前後方向に平行な回転軸を中心に９０°回転させた形状のフィルターが備えられてもよい。この場合は、特に、フラットパネル部２０の上下２方向からの空気の吸い込みに有効である。
【００５０】
＜第５実施形態＞
第１実施形態のフィルター３ａに代えて図９に示すフィルター３ｅが備えられてもよい。このフィルター３ｅのうち空気導入口１４の周縁部に対向する部分は、他の部分より厚みが大きい肉厚部３１ｅとなっている。
【００５１】
このフィルター３ｅでは、肉厚部３１ｅによって、フラットパネル部２０の内面に沿って進む空気の流速や流れの方向を変化させることができる。このため、第１実施形態のフィルター３ａが用いられる場合と同様に、室内熱交換器４を通る空気の流れにおける偏流を緩和することができる。特に、肉厚部３１ｅを空気導入口１４の周縁部と同様に円形に設けることによって、フラットパネル部２０の上下左右４方向からの空気の吸い込みにも有効である。
【００５２】
＜他の実施形態＞
（Ａ）
上記の実施形態では、床置き型の室内機である空気調和機に本発明が適用されているが、天井埋め込み型や壁掛け型など他のタイプの空気調和機にも適用可能である。
（Ｂ）
上記の実施形態では、フラットパネル部２０の周囲から空気が吸い込まれるタイプの空気調和機に本発明が適用されているが、フラットパネル部２０が設けられている位置に吸込み口が設けられた空気調和機に対しても本発明を適用可能である。ただし、上記のような偏流の問題は、フラットパネル部２０の周囲から空気が吸い込まれる場合に生じ易いため、本発明は、このようなタイプの空気調和機に特に有効である。
【００５３】
（Ｃ）
上記の実施形態では、フラットパネル部２０の上下左右の４方向から空気が吸い込まれているが、フラットパネル部２０の上下２方向のみ、或いは、左右２方向のみから空気が吸い込まれる場合にも本発明は有効である。
【産業上の利用可能性】
【００５４】
本発明は、熱交換器を通過する空気の流れにおいて偏流を緩和することができる効果を有し、空気調和機として有用である。
【図面の簡単な説明】
【００５５】
【図１】空気調和機の前面図。
【図２】空気調和機の側面図。
【図３】空気調和機の側面断面図。
【図４】第１実施形態のフィルター近傍の構成を示す上面断面図および側面断面図。
【図５】第１実施形態のフィルターの前面図。
【図６】第２実施形態のフィルター近傍の構成を示す上面断面図および前面図。
【図７】第３実施形態のフィルター近傍の構成を示す上面断面図および前面図。
【図８】第４実施形態のフィルター近傍の構成を示す上面断面図および前面図。
【図９】第５実施形態のフィルター近傍の構成を示す上面断面図および前面図。
【符号の説明】
【００５６】
１              空気調和機
２              ケーシング
３ａ−３ｅ      フィルター
４              室内熱交換器（熱交換器）
５              送風装置（遠心ファン）
６              第１吹出し口
７              第２吹出し口
８              第１吸込み口
９              第２吸込み口
１０            第３吸込み口
１１            第４吸込み口
１４            空気導入口
２０            フラットパネル部（パネル部）
３１ａ，３１ｃ  第１傾斜面
３１ｄ          曲面部
３１ｂ          球面部
３１ｅ          肉厚部
３２ａ，３２ｃ  第２傾斜面
３３ａ          第３傾斜面
３４ａ          第４傾斜面
Ｐ２，Ｐ３      吹き出し通路
【図１】
2007183014.tif 000003
【図２】
2007183014.tif 000004
【図３】
2007183014.tif 000005
【図４】
2007183014.tif 000006
【図５】
2007183014.tif 000007
【図６】
2007183014.tif 000008
【図７】
2007183014.tif 000009
【図８】
2007183014.tif 000010
【図９】
2007183014.tif 000011
【手続補正書】
【提出日】平成19年4月5日(2007.4.5)
【手続補正１】
【補正対象書類名】特許請求の範囲
【補正対象項目名】全文
【補正方法】変更
【補正の内容】
【特許請求の範囲】
【請求項１】
正面に設けられるパネル部（２０）と、前記パネル部（２０）を間に挟んで配置され室内から取り入れられる空気が通る第１吸込み口（８）および第２吸込み口（９）を有する吸込み口（８−１１）と、室内へ吹き出される空気が通る吹出し口（６，７）と、を有するケーシング（２）と、
前記吸込み口（８−１１）の下流において前記パネル部（２０）に対向して配置され空気が透過するフィルター（３ａ−３ｄ）と、
前記フィルター（３ａ−３ｄ）の下流において前記フィルター（３ａ−３ｄ）に対向して配置され、通過する空気との間で熱交換を行う熱交換器（４）と、
前記熱交換器（４）の下流に配置され、前記吸込み口（８−１１）から吸い込まれ前記吹出し口（６，７）から吹き出される空気の流れを生成する遠心ファン（５）と、
前記熱交換器（４）の下流において前記熱交換器（４）と対向して配置される空気導入口（１４）を有し、前記空気導入口（１４）から前記吹出し口（６，７）まで空気を案内する吹き出し通路（Ｐ２，Ｐ３）と、
を備え、
前記フィルター（３ａ−３ｄ）の前記パネル部（２０）側の表面は、前記パネル部（２０）側に突出した凸状の形状を有しており、前記フィルター（３ａ−３ｄ）の前記パネル部（２０）側の表面は、前記熱交換器（４）に対して傾斜した形状を有する、
空気調和機（１）。
【請求項２】
前記フィルター（３ａ，３ｃ）の前記パネル部（２０）側の表面は、前記第１吸込み口（８）側に配置される第１傾斜面（３１ａ，３１ｃ）と、前記第２吸込み口（９）側に配置される第２傾斜面（３２ａ，３２ｃ）とを有する、
請求項１に記載の空気調和機（１）。
【請求項３】
前記吸込み口（８−１１）は、前記第１吸込み口（８）と第２吸込み口（９）とを結ぶ方向に直交する方向において前記パネル部（２０）を間に挟んで配置される第３吸込み口（１０）と第４吸込み口（１１）とをさらに有し、
前記フィルター（３ａ）の前記パネル部（２０）側の表面は、第３吸込み口（１０）側に配置される第３傾斜面（３３ａ）と、前記第４吸込み口（１１）側に配置される第４傾斜面（３４ａ）とをさらに有する、
請求項２に記載の空気調和機（１）。
【請求項４】
前記フィルター（３ｄ）の前記パネル部（２０）側の表面は、前記第１吸込み口（８）側と前記第２吸込み口（９）側とを結ぶ方向における中間部分が前記パネル部（２０）側に突出するように湾曲した曲面部（３１ｄ）を有する、
請求項１に記載の空気調和機（１）。
【請求項５】
前記吸込み口（８−１１）は、前記第１吸込み口（８）と前記第２吸込み口（９）と共に前記パネル部（２０）を間に挟んで４方に分かれて配置される第３吸込み口（１０）と第４吸込み口（１１）とをさらに有し、
前記フィルター（３ｂ）の前記パネル部（２０）側の表面は、前記パネル部（２０）側に突出した球面状の球面部（３１ｂ）を有する、
請求項１に記載の空気調和機（１）。
【請求項６】
前記吹出し口（６，７）は、前記ケーシング（２）の上部に設けられる第１吹出し口（６）と、前記ケーシング（２）の下部に設けられる第２吹出し口（７）とを有し、
前記遠心ファン（５）は、前記熱交換器（４）に対向する位置に配置されており、
前記熱交換器（４）を通った空気は、前記遠心ファン（５）において上下に分岐して前記第１吹出し口（６）と前記第２吹出し口（７）とに送られる、
請求項１から５のいずれかに記載の空気調和機（１）。
【請求項７】
前記吸込み口（８−１１）は、前記パネル部（２０）を間に挟んで配置され前記熱交換器（４）に対向する第３吸込み口（１０）および第４吸込み口（１１）をさらに有する、
請求項１に記載の空気調和機（１）。
【請求項８】
室内から取り入れられる空気が通る吸込み口（８−１１）と、室内へ吹き出される空気が通る吹出し口（６，７）とを有するケーシング（２）と、
前記吸込み口（８−１１）の下流に設けられ空気が透過するフィルター（３ｅ）と、
前記フィルター（３ｅ）の下流において前記フィルター（３ｅ）に対向して配置され、通過する空気との間で熱交換を行う熱交換器（４）と、
前記熱交換器（４）の下流に配置され、前記吸込み口（８−１１）から吸い込まれ前記吹出し口（６，７）から吹き出される空気の流れを生成する遠心ファン（５）と、
前記熱交換器（４）の下流において前記熱交換器（４）と対向して配置される空気導入口（１４）を有し、前記空気導入口（１４）から前記吹出し口（６，７）まで空気を案内する吹き出し通路（Ｐ２，Ｐ３）と、
を備え、
前記フィルター（３ｅ）は、前記空気導入口（１４）の縁部に対向する位置に設けられ他の部分より厚みが大きい肉厚部（３１ｅ）を有する、
空気調和機（１）。
【請求項９】
前記ケーシング（２）は、正面に設けられるパネル部（２０）をさらに有し、
前記吸込み口（８−１１）は、前記パネル部（２０）の周囲に設けられており、
前記フィルター（３ｅ）は前記パネル部（２０）に対向して配置されている、
請求項８に記載の空気調和機（１）。
【手続補正２】
【補正対象書類名】明細書
【補正対象項目名】全文
【補正方法】変更
【補正の内容】
【発明の詳細な説明】
【技術分野】
【０００１】
本発明は、空気調和機に関する。
【背景技術】
【０００２】
空気調和機には、吸込み口と吹出し口とが設けられたケーシングと、吸込み口の下流に配置されるフィルターと、フィルターの下流においてフィルターに対向して配置される熱交換器と、遠心ファンと、吹き出し通路とを備えたものがある（特許文献１参照）。吹き出し通路は、熱交換器の下流において熱交換器と対向して配置される空気導入口を有し、この空気導入口から吹出し口まで空気を案内する通路である。遠心ファンは、吸込み口から吸い込まれ、フィルター、熱交換器、吹き出し通路を通って、吹出し口から吹き出される空気の流れを生成する。
【特許文献１】特開昭６１−７９９３８号公報
【発明の開示】
【発明が解決しようとする課題】
【０００３】
上記のような空気調和機では、吸込み口から吸い込まれた室内の空気は、フィルターおよび熱交換器を通った後に、空気導入口から吹き出し通路に入る。この場合、空気の流速は空気導入口の周縁近傍において大きくなり易く、空気導入口の周縁近傍を流れる空気の流量が多くなる。このため、熱交換器を通過する空気の流れに偏りが生じ易くなり、熱交換の効率が低下する恐れがある。
【０００４】
本発明の課題は、熱交換器を通過する空気の流れにおいて、偏流を緩和することができる空気調和機を提供することにある。
【課題を解決するための手段】
【０００５】
第１発明に係る空気調和機は、ケーシングと、フィルターと、熱交換器と、遠心ファンと、吹き出し通路とを備える。ケーシングは、正面に設けられるパネル部と、パネル部を間に挟んで配置され室内から取り入れられる空気が通る第１吸込み口および第２吸込み口を有する吸込み口と、室内へ吹き出される空気が通る吹出し口とを有する。フィルターは、吸込み口の下流においてパネル部に対向して配置され、空気が透過する部材である。熱交換器は、フィルターの下流においてフィルターに対向して配置され、通過する空気との間で熱交換を行う。遠心ファンは、熱交換器の下流に配置され、吸込み口から吸い込まれ吹出し口から吹き出される空気の流れを生成する。吹き出し通路は、熱交換器の下流において熱交換器と対向して配置される空気導入口を有し、空気導入口から吹出し口まで空気を案内する。そして、フィルターのパネル部側の表面は、パネル部側に突出した凸状の形状を有しており、フィルターのパネル部側の表面は、熱交換器に対して傾斜した形状を有する。
【０００６】
この空気調和機では、パネル部の周囲から吸い込まれた空気はパネル部の内面に沿って進むと共に、流れの方向を変化させながらフィルターを透過して熱交換器へと進む。ここで、フィルターのパネル部側の表面は熱交換器に対して傾斜した形状であるため、フィルターの部分によって空気の透過し易さが異なる。これにより、この空気調和機では、熱交換器を通過する空気の流れにおいて、偏流を緩和することができる。
【０００７】
第２発明に係る空気調和機は、第１発明の空気調和機であって、フィルターのパネル部側の表面は、第１吸込み口側に配置される第１傾斜面と、第２吸込み口側に配置される第２傾斜面とを有する。
【０００８】
この空気調和機では、第１吸込み口から吸い込まれた空気は、第１傾斜面を透過することにより、熱交換器を通過する際の流れの偏りを緩和することができる。また、第２吸込み口から吸い込まれた空気は、第２傾斜面を透過することにより、熱交換器を通過する際の流れの偏りを緩和することができる。このため、この空気調和機では、２方向から空気が吸い込まれる場合でも、熱交換器を通過する空気の流れにおいて、偏流を緩和することができる。
【０００９】
第３発明に係る空気調和機は、第２発明の空気調和機であって、吸込み口は、第１吸込み口と第２吸込み口とを結ぶ方向に直交する方向においてパネル部を間に挟んで配置される第３吸込み口と第４吸込み口とをさらに有する。そして、フィルターのパネル部側の表面は、第３吸込み口側に配置される第３傾斜面と、第４吸込み口側に配置される第４傾斜面とをさらに有する。
【００１０】
この空気調和機では、第１吸込み口から吸い込まれた空気は、第１傾斜面を透過することにより、熱交換器を通過する際の流れの偏りを緩和することができる。第２吸込み口から吸い込まれた空気は、第２傾斜面を透過することにより、熱交換器を通過する際の流れの偏りを緩和することができる。第３吸込み口から吸い込まれた空気は、第３傾斜面を透過することにより、熱交換器を通過する際の流れの偏りを緩和することができる。また、第４吸込み口から吸い込まれた空気は、第４傾斜面を透過することにより、熱交換器を通過する際の流れの偏りを緩和することができる。このため、この空気調和機では、４方向から空気が吸い込まれる場合でも、熱交換器を通過する空気の流れにおいて、偏流を緩和することができる。
【００１１】
第４発明に係る空気調和機は、第１発明の空気調和機であって、フィルターのパネル部側の表面は、第１吸込み口側と第２吸込み口側とを結ぶ方向における中間部分がパネル部側に突出するように湾曲した曲面部を有する。
【００１２】
この空気調和機では、第１吸込み口からと第２吸込み口からとの２方向から吸い込まれた空気が曲面部を透過する。そして、曲面部によって空気の流れに変化を生じさせることができる。これにより、この空気調和機では、熱交換器を通過する空気の流れにおいて、偏流を緩和することができる。
【００１３】
第５発明に係る空気調和機は、第１発明の空気調和機であって、吸込み口は、第１吸込み口と第２吸込み口と共にパネル部を間に挟んで４方に分かれて配置される第３吸込み口と第４吸込み口とをさらに有する。そして、フィルターのパネル部側の表面は、パネル部側に突出した球面状の形状を有する。
【００１４】
この空気調和機では、フィルターのパネル部側の表面が上記のような球面状の球面部を有するため、４方向から空気が吸い込まれる場合でも、熱交換器を通過する空気の流れにおいて、偏流を緩和することができる。
【００１５】
第６発明に係る空気調和機は、第１発明から第５発明のいずれかの空気調和機であって、吹出し口は、ケーシングの上部に設けられる第１吹出し口と、ケーシングの下部に設けられる第２吹出し口とを有する。また、遠心ファンは、熱交換器に対向する位置に配置されている。そして、熱交換器を通った空気は、遠心ファンにおいて上下に分岐して第１吹出し口と第２吹出し口とに送られる。
【００１６】
第７発明に係る空気調和機は、第１発明の空気調和機であって、吸込み口は、パネル部を間に挟んで配置され熱交換器に対向する第３吸込み口および第４吸込み口をさらに有する。
【００１７】
第８発明に係る空気調和機は、ケーシングと、フィルターと、熱交換器と、遠心ファンと、吹き出し通路とを備える。ケーシングは、室内から取り入れられる空気が通る吸込み口と、室内へ吹き出される空気が通る吹出し口とを有する。フィルターは、吸込み口の下流に設けられ、空気が透過する部材である。熱交換器は、フィルターの下流においてフィルターに対向して配置され、通過する空気との間で熱交換を行う。遠心ファンは、熱交換器の下流に配置され、吸込み口から吸い込まれ吹出し口から吹き出される空気の流れを生成する。吹き出し通路は、熱交換器の下流において熱交換器と対向して配置される空気導入口を有し、空気導入口から吹出し口まで空気を案内する。そして、フィルターは、空気導入口の縁部に対向する位置に設けられ他の部分より厚みが大きい肉厚部を有する。
【００１８】
この空気調和機では、フィルターのうち空気導入口の縁部に対向する部分は、他の部分より大きな厚みを有するため、フィルターの透過し易さが他の部分と異なる。このため、フィルターが均一な厚さを有する場合と比べて、フィルターを通過する空気の流れに変化を生じさせることができる。これにより、この空気調和機では、熱交換器を通過する空気の流れにおいて、偏流を緩和することができる。
【００１９】
第９発明に係る空気調和機は、第８発明の空気調和機であって、ケーシングは、前面に設けられるパネル部をさらに有し、吸込み口は、パネル部の周囲に設けられている。また、フィルターはパネル部に対向して配置される。
【００２０】
この空気調和機では、パネル部の周囲から吸い込まれた空気はパネル部の内面に沿って進むと共に、流れの方向を変化させながらフィルターを透過して熱交換器へと進む。ここで、フィルターのうち空気導入口の縁部に対向する部分は、他の部分より大きな厚みを有するため、フィルターの透過し易さが他の部分と異なる。これにより、この空気調和機では、熱交換器を通過する空気の流れにおいて、偏流を緩和することができる。
【発明の効果】
【００２１】
第１発明に係る空気調和機では、パネル部の周囲から吸い込まれた空気はパネル部の内面に沿って進むと共に、流れの方向を変化させながらフィルターを透過して熱交換器へと進む。ここで、フィルターのパネル部側の表面は熱交換器に対して傾斜した形状であるため、フィルターの部分によって空気の透過し易さが異なる。これにより、この空気調和機では、熱交換器を通過する空気の流れにおいて、偏流を緩和することができる。
【００２２】
第２発明に係る空気調和機では、第１吸込み口から吸い込まれた空気は、第１傾斜面を透過することにより、熱交換器を通過する際の流れの偏りを緩和することができる。また、第２吸込み口から吸い込まれた空気は、第２傾斜面を透過することにより、熱交換器を通過する際の流れの偏りを緩和することができる。このため、この空気調和機では、２方向から空気が吸い込まれる場合でも、熱交換器を通過する空気の流れにおいて、偏流を緩和することができる。
【００２３】
第３発明に係る空気調和機では、第１吸込み口から吸い込まれた空気は、第１傾斜面を透過することにより、熱交換器を通過する際の流れの偏りを緩和することができる。第２吸込み口から吸い込まれた空気は、第２傾斜面を透過することにより、熱交換器を通過する際の流れの偏りを緩和することができる。第３吸込み口から吸い込まれた空気は、第３傾斜面を透過することにより、熱交換器を通過する際の流れの偏りを緩和することができる。また、第４吸込み口から吸い込まれた空気は、第４傾斜面を透過することにより、熱交換器を通過する際の流れの偏りを緩和することができる。このため、この空気調和機では、４方向から空気が吸い込まれる場合でも、熱交換器を通過する空気の流れにおいて、偏流を緩和することができる。
【００２４】
第４発明に係る空気調和機では、第１吸込み口からと第２吸込み口からとの２方向から吸い込まれた空気が曲面部を透過する。そして、曲面部によって空気の流れに変化を生じさせることができる。これにより、この空気調和機では、熱交換器を通過する空気の流れにおいて、偏流を緩和することができる。
【００２５】
第５発明に係る空気調和機では、フィルターのパネル部側の表面が上記のような球面状の球面部を有するため、４方向から空気が吸い込まれる場合でも、熱交換器を通過する空気の流れにおいて、偏流を緩和することができる。
【００２６】
第８発明に係る空気調和機では、フィルターのうち空気導入口の縁部に対向する部分は、他の部分より大きな厚みを有するため、フィルターの透過し易さが他の部分と異なる。このため、フィルターが均一な厚さを有する場合と比べて、フィルターを通過する空気の流れに変化を生じさせることができる。これにより、この空気調和機では、熱交換器を通過する空気の流れにおいて、偏流を緩和することができる。
【００２７】
第９発明に係る空気調和機では、パネル部の周囲から吸い込まれた空気はパネル部の内面に沿って進むと共に、流れの方向を変化させながらフィルターを透過して熱交換器へと進む。ここで、フィルターのうち空気導入口の縁部に対向する部分は、他の部分より大きな厚みを有するため、フィルターの透過し易さが他の部分と異なる。これにより、この空気調和機では、熱交換器を通過する空気の流れにおいて、偏流を緩和することができる。
【発明を実施するための最良の形態】
【００２８】
＜第１実施形態＞
本発明の一実施形態に係る空気調和機１を図１から図３に示す。図１は、空気調和機１の前面図であり、図２は、空気調和機１の側面図である。また、図３は、空気調和機１の側面断面図である。この空気調和機１は、床置き型の室内機であり、ケーシング２と、フィルター３ａと、室内熱交換器４と、送風装置５とを備える。なお、以下の説明において、上下左右という場合は、空気調和機１の前面視における上下左右を意味している。
【００２９】
〔ケーシング２〕
ケーシング２は、合成樹脂製の中空の筐体からなり、フィルター３ａ、室内熱交換器４、ベルマウス１３、送風装置５を内部に収納している。ケーシング２には、第１吹出し口６、第２吹出し口７、第１吸込み口８，第２吸込み口９、第３吸込み口１０、第４吸込み口１１が設けられている。
【００３０】
第１吹出し口６と第２吹出し口７とはケーシング２の前面に設けられている。第１吹出し口６は、ケーシング２の前面の上端に沿って設けられた横長形状の開口であり、室内へ吹き出される空気が通る。第２吹出し口７は、ケーシング２の前面の下端に沿って設けられた横長形状の開口であり、室内へ吹き出される空気が通る。なお、第１吹出し口６には、第１吹出し口６から吹き出される空気を案内する第１フラップ６１が回動自在に設けられており、第１フラップ６１によって第１吹出し口６を開閉することができる。また、第２吹出し口７には、第２吹出し口７から吹き出される空気を案内する第２フラップ６２が回動自在に設けられている。
【００３１】
第１吸込み口８と第２吸込み口９とは、ケーシング２の側面に設けられている。第１吸込み口８は、ケーシング２の右側面の前端に沿って設けられた縦長形状の開口であり、室内からケーシング２の内部に吸い込まれる空気が通る。第２吸込み口９は、ケーシング２の左側面の前端に沿って設けられた縦長形状の開口であり、室内からケーシング２の内部に吸い込まれる空気が通る。
【００３２】
第３吸込み口１０と第４吸込み口１１とはケーシング２の前面に設けられている。第３吸込み口１０は、第１吹出し口６の下方に設けられた横長形状の開口であり、室内からケーシング２の内部に吸い込まれる空気が通る。第４吸込み口１１は、第２吹出し口７の上方に設けられた横長形状の開口であり、室内からケーシング２の内部に吸い込まれる空気が通る。また、ケーシング２の前面のうち第３吸込み口１０と第４吸込み口１１との間には、開口が設けられていない平坦なフラットパネル部２０が設けられている。
【００３３】
なお、ケーシング２は、ケーシング本体２１と、ケーシング本体２１の前面に着脱自在に取り付けられる前面パネル２２とを有しており、第２吹出し口７と、第１吸込み口８、第２吸込み口９、第３吸込み口１０、第４吸込み口１１は、前面パネル２２に設けられている。なお、第１吹出し口６は本体ケーシング２１に設けられている。
【００３４】
前面パネル２２は、ケーシング本体２１の前面よりも小さな外形を有しており、前面視において、第１吹出し口６の下方に配置されている。第３吸込み口１０は、前面パネル２２の上端近傍に配置されており、第２吹出し口７は、前面パネル２２の下端近傍に配置されている。なお、第４吸込み口１１は上述したように第２吹出し口７の上方に設けられている。また、前面パネル２２の前面は、ケーシング本体２１の前面から前方に僅かな距離を隔てて配置されており、前面パネル２２の前面側端部とケーシング本体２１の前面とを繋ぐ前面パネル２２の側面に、第１吸込み口８および第２吸込み口９が設けられている。また、前面パネル２２の前面上端部とケーシング本体２１の前面とを繋ぐ前面パネル２２の上面と、前面パネル２２の前面下端とケーシング本体２１の前面とを繋ぐ前面パネル２２の下面とは閉じられている。なお、第３吸込み口１０は、前面パネル２２の前面ではなく、前面パネル２２の上面に設けられてもよい。
【００３５】
以上のように、ケーシング２には、前面パネル２２のフラットパネル部２０の周囲の上下左右４方向には、それぞれ第３吸込み口１０から第２吸込み口９が配置されており、フラットパネル部２０の上下左右４方向から空気が吸い込まれる。
【００３６】
ケーシング本体２１は、前面が大きく開口しており、ケーシング本体２１の内部には、フィルター３ａ、室内熱交換器４、ベルマウス１３、送風装置５が、ケーシング本体２１の前面の開口に対向して、前方から後方に向けて順に配置されている。
【００３７】
また、ケーシング２の内部には、図３に示すように、吸い込み通路Ｐ１と吹き出し通路Ｐ２，Ｐ３とが形成されている。
【００３８】
吸い込み通路Ｐ１は、前面パネル２２の後方に形成されており、第１吸込み口８、第２吸込み口９、第３吸込み口１０、第４吸込み口１１から吸い込まれた空気をベルマウス１３の空気導入口１４まで案内する。吸い込み通路Ｐ１には、フィルター３ａ、室内熱交換器４が配置されている。
【００３９】
吹き出し通路Ｐ２，Ｐ３は、室内熱交換器４の下流において室内熱交換器４と対向して配置されるベルマウス１３の空気導入口１４（後述）から第１吹出し口６および第２吹出し口７まで案内する通路であり、第１吹き出し通路Ｐ２と第２吹き出し通路Ｐ３とを有する。第１吹き出し通路Ｐ２は、空気導入口１４から後方へ向かい送風装置５のファンカバー５３（後述）の内部を通って第１吹出し口６に繋がる通路である。第２吹き出し通路Ｐ３は、空気導入口１４から後方へ向かいファンカバー５３の内部を通って第２吹出し口７に繋がる通路である。
【００４０】
〔フィルター３ａ〕
フィルター３ａは、フラットパネル部２０の後方においてフラットパネル部２０に対向して配置されており、ケーシング本体２１の前面の開口を覆うように取り付けられている。フィルター３ａは、吸い込み通路Ｐ１を通る空気の流れにおいて、各吸込み口８−１１の下流に位置している。フィルター３ａは、各吸込み口８−１１から吸い込まれた空気を後方に透過させ、透過する空気を清浄化する。フィルター３ａの形状については後に詳述する。
【００４１】
〔室内熱交換器４〕
室内熱交換器４は、図示しない室外熱交換器と共に冷媒回路を構成しており、通過する空気との間で熱交換を行う。室内熱交換器４は、フィルター３ａの後方にフィルター３ａに対向して配置されており、吸い込み通路Ｐ１を通る空気の流れにおいて、フィルター３ａの下流に位置している。室内熱交換器４は、薄い板状の外形を有しており、前面視においてフィルター３ａと同程度の大きさを有する。室内熱交換器４は、フラットパネル部２０に平行に設けられている。
【００４２】
〔送風装置５〕
送風装置５は、室内熱交換器４の後方において室内熱交換器４に対向して配置されている。送風装置５は、吸い込み通路Ｐ１および吹き出し通路Ｐ２，Ｐ３を通る空気の流れにおいて、室内熱交換器４の下流に位置している。また、送風装置５は、遠心方向に風を吹き出す遠心ファンの一種であるターボファンであり、各吸込み口８−１１から吸い込まれ各吹出し口６，７から吹き出される空気の流れを生成する。送風装置５は、ファンロータ５１、ファンモータ５２、ファンカバー５３を有している。
【００４３】
ファンロータ５１は、回転軸ＡＸ１が前後方向に水平になるように配置されており、回転軸ＡＸ１から螺旋を描きながら離れるように配置された複数枚の羽根を有している。
【００４４】
ファンモータ５２は、ファンロータ５１を回転駆動する駆動源であり、ファンロータ５１の後方に配置される。
【００４５】
ファンカバー５３は、ファンロータ５１の前方に配置される部材であり、空気導入口１４から吹き出される空気をファンロータ５１に案内する。ファンカバー５３の前面には、ファンカバー５３内に取り込まれる空気が通る開口が設けられている。ファンカバー５３の前面の開口を通った空気は、ファンロータ５１によって遠心方向に吹き出されることにより上下に分岐し、第１吹出し口６および第２吹出し口７から室内に吹き出される。
【００４６】
〔ベルマウス１３〕
ベルマウス１３は、室内熱交換器４と送風装置５との間に設けられており、吸い込み通路Ｐ１と吹き出し通路Ｐ２，Ｐ３とを仕切る部材である。ベルマウス１３は、平坦部１５と円管部１６とを有している。平坦部１５は、前面視において室内熱交換器４と同程度の大きさの外形を有しており、室内熱交換器４の後面に対向して室内熱交換器４と平行に設けられている。平坦部１５には、上述した空気導入口１４が設けられており、平坦部１５の空気導入口１４の周縁に円管部１６の前端が繋がっている。なお、円管部１６は前端側が拡径するように湾曲しており、空気導入口１４の周縁と緩やかに繋がっている。また、円管部１６の後端は、ファンカバー５３の前面の開口を通ってファンカバー５３の内部に入り込んでいる。なお、空気導入口１４は、前面視において室内熱交換器４よりも小さな外形を有しており、円管部１６も前面視において室内熱交換器４よりも小さな外形を有している。
【００４７】
〔フィルター３ａの形状〕
以下、本発明において特徴的なフィルター３ａの形状について説明する。図４および図５に示すように、フィルター３ａのフラットパネル部２０側の表面は、フラットパネル部２０側に突出した凸状の形状を有しており、室内熱交換器４、フラットパネル部２０およびベルマウス１３の平坦部１５に対して傾斜した外形を有する。なお、図４（ａ）は、フィルター３ａ近傍の構成を示す上面断面図であり、図４（ｂ）はフィルター３ａ近傍の構成を示す側面断面図である。また、図５は、フィルター３ａの前面図である。
【００４８】
フィルター３ａのフラットパネル部２０側の表面は、第１傾斜面３１ａ、第２傾斜面３２ａ、第３傾斜面３３ａ、第４傾斜面３４ａを有する。第１傾斜面３１ａ、第２傾斜面３２ａ、第３傾斜面３３ａ、第４傾斜面３４ａは、それぞれ平坦な形状を有しており、これらが組み合わされることによってフィルター３ａの凸状の形状を形成している。
【００４９】
第１傾斜面３１ａは、フィルター３ａを上下左右の４つに分けた中の右側（第１吸込み口８側）に配置されており、図５に示すように、第３傾斜面３３ａと第４傾斜面３４ａとの間に配置されている。第１傾斜面３１ａは、左端部が右端部よりもフラットパネル部２０に近づくように傾斜している。このため、第１傾斜面３１ａとフラットパネル部２０との間の空間は、右側が広く左側すなわちフィルター３ａの中央部側ほど狭くなっている。
【００５０】
第２傾斜面３２ａは、左側（第２吸込み口９側）に配置されており、第３傾斜面３３ａと第４傾斜面３４ａの間であって、第１吸込み口８の左側方に配置されている。第２傾斜面３２ａは、右端部が左端部よりもフラットパネル部２０に近づくように傾斜している。このため、第２傾斜面３２ａとフラットパネル部２０との間の空間は、左側が広く右側すなわちフィルター３ａの中央部側ほど狭くなっている。
【００５１】
第３傾斜面３３ａは、上側（第３吸込み口１０側）に配置されており、図４（ｂ）に示すように、下端部が上端部よりも前面パネル２２に近づくように傾斜している。このため、第３傾斜面３３ａとフラットパネル部２０との間の空間は、上方が広く下方すなわちフィルター３ａの中央部側ほど狭くなっている。
【００５２】
第４傾斜面３４ａは、下側（第４吸込み口１１側）に配置されており、第３傾斜面３３ａよりも下方に位置している。第４傾斜面３４ａは、上端部が下端部よりもフラットパネル部２０に近づくように傾斜している。このため、第４傾斜面３４ａとフラットパネル部２０との間の空間は、下方が広く上方すなわちフィルター３ａの中央部側ほど狭くなっている。
【００５３】
なお、第１傾斜面３１ａと第２傾斜面３２ａとは、左右方向に並んで配置され左右対称な形状を有している。また、第３傾斜面３３ａと第４傾斜面３４ａとは上下方向に並んで配置され上下対称な形状を有している。このため、フィルター３ａは、上下対称且つ左右対称な凸状の形状となっており、その中心は、ベルマウス１３の空気導入口１４に対向して配置されている。
【００５４】
〔特徴〕
（１）
この空気調和機１では、第１吸込み口８、第２吸込み口９、第３吸込み口１０、第４吸込み口１１から吸い込まれた空気は、フラットパネル部２０の内面に沿って進み、空気導入口１４に対向する位置近傍において空気導入口１４に向けて流れの向きを変える（図４の波線矢印参照）。ここで、フィルター３ａは上記のように傾斜した形状となっており、フラットパネル部２０の内面に沿って進む空気の進行方向に交差して配置されている。このため、フラットパネル部２０の内面に沿って進む空気の流速や流れの方向が、フィルター３ａの傾斜面３１ａ−３４ａに接触することによって変化する。これにより、ベルマウス１３の空気導入口１４の周縁部近傍に空気の流れが集中することを抑えることができ、室内熱交換器４を通る空気の流れにおける偏流を緩和することができる。
【００５５】
（２）
この空気調和機１では、第１吸込み口８、第２吸込み口９、第３吸込み口１０、第４吸込み口１１に対応して、第１傾斜面３１ａ、第２傾斜面３２ａ、第３傾斜面３３ａ、第４傾斜面３４ａが設けられている。このため、フラットパネル部２０の上下左右の４方向から空気が吸い込まれる場合でも、ベルマウス１３の空気導入口１４の周縁部近傍に空気の流れが集中することを抑えることができる。
【００５６】
＜第２実施形態＞
第１実施形態のフィルター３ａに代えて図６に示すフィルター３ｂが備えられてもよい。図６（ａ）は、フィルター３ｂ近傍の構成を示す上面断面図であり、図６（ｂ）は、フィルター３ｂの前面図である。このフィルター３ｂのフラットパネル部２０側の表面は、フラットパネル部２０側に突出した球面状の形状を有する球面部３１ｂを有する。球面部３１ｂはベルマウス１３の空気導入口１４に対向して配置されている。なお、ここでいう「球面」とは、厳密な球面であることまでを要せず、球面に近似した曲面であれば足りる。
【００５７】
他の構成については第１実施形態と同様である。
【００５８】
このフィルター３ｂでは、球面部３１ｂによって、フラットパネル部２０の内面に沿って進む空気の流速や流れの方向を変化させることができる。このため、このフィルター３ｂが用いられても、第１実施形態のフィルター３ａと同様に、室内熱交換器４を通る空気の流れにおける偏流を緩和することができる。また、フラットパネル部２０の上下左右の４方向から空気が吸い込まれる場合にも有効である。
【００５９】
＜第３実施形態＞
第１実施形態のフィルター３ａに代えて図７に示すフィルター３ｃが備えられてもよい。図７（ａ）は、フィルター３ｃ近傍の構成を示す上面断面図であり、図７（ｂ）は、フィルター３ｃの前面図である。このフィルター３ｃのフラットパネル部２０側の表面は、２つの傾斜面３１ｃ，３２ｃが左右対称に組み合わされた山型の形状を有している。具体的には、フィルター３ｃは、第１吸込み口８側（右側）に配置される第１傾斜面３１ｃと、第２吸込み口９側（左側）に配置される第２傾斜面３２ｃとを有している。第１傾斜面３１ｃの左端部は、第２傾斜面３２ｃの右端部と繋がっており、第１傾斜面３１ｃと第２傾斜面３２ｃとの接続部分が凸状の形状の頂点となっている。なお、第１傾斜面３１ｃおよび第２傾斜面３２ｃの傾斜の方向は、第１実施形態のフィルター３ａの第１傾斜面３１ａおよび第２傾斜面３２ａと同様である。
【００６０】
他の構成については第１実施形態と同様である。
【００６１】
このようなフィルター３ｃによっても、第１実施形態のフィルター３ａが用いられる場合と同様に、室内熱交換器４を通る空気の流れにおける偏流を緩和することができる。特に、このフィルター３ｃでは、フラットパネル部２０の左右２方向からの空気の吸い込みに有効である。
【００６２】
なお、上記のフィルター３ａを前後方向に平行な回転軸を中心に９０°回転させた形状のフィルターが備えられてもよい。この場合は、特に、フラットパネル部２０の上下２方向からの空気の吸い込みに有効である。
【００６３】
＜第４実施形態＞
第１実施形態のフィルター３ａに代えて図８に示すフィルター３ｄが備えられてもよい。図８（ａ）は、フィルター３ｄ近傍の構成を示す上面断面図であり、図８（ｂ）は、フィルター３ｄの前面図である。このフィルター３ｄのフラットパネル部２０側の表面は、左右方向における中間部分がフラットパネル部２０側に突出するように湾曲した曲面部３１ｄを有しており、左右対称な形状となっている。
【００６４】
他の構成については第１実施形態と同様である。
【００６５】
このようなフィルター３ｄによっても、第１実施形態のフィルター３ａが用いられる場合と同様に、室内熱交換器４を通る空気の流れにおける偏流を緩和することができる。特に、このフィルター３ｄでは、フラットパネル部２０の左右２方向から空気が吸い込まれる場合に有効である。
【００６６】
なお、上記のフィルター３ｄを前後方向に平行な回転軸を中心に９０°回転させた形状のフィルターが備えられてもよい。この場合は、特に、フラットパネル部２０の上下２方向からの空気の吸い込みに有効である。
【００６７】
＜第５実施形態＞
第１実施形態のフィルター３ａに代えて図９に示すフィルター３ｅが備えられてもよい。このフィルター３ｅのうち空気導入口１４の周縁部に対向する部分は、他の部分より厚みが大きい肉厚部３１ｅとなっている。
【００６８】
このフィルター３ｅでは、肉厚部３１ｅによって、フラットパネル部２０の内面に沿って進む空気の流速や流れの方向を変化させることができる。このため、第１実施形態のフィルター３ａが用いられる場合と同様に、室内熱交換器４を通る空気の流れにおける偏流を緩和することができる。特に、肉厚部３１ｅを空気導入口１４の周縁部と同様に円形に設けることによって、フラットパネル部２０の上下左右４方向からの空気の吸い込みにも有効である。
【００６９】
＜他の実施形態＞
（Ａ）
上記の実施形態では、床置き型の室内機である空気調和機に本発明が適用されているが、天井埋め込み型や壁掛け型など他のタイプの空気調和機にも適用可能である。
【００７０】
（Ｂ）
上記の実施形態では、フラットパネル部２０の周囲から空気が吸い込まれるタイプの空気調和機に本発明が適用されているが、フラットパネル部２０が設けられている位置に吸込み口が設けられた空気調和機に対しても本発明を適用可能である。ただし、上記のような偏流の問題は、フラットパネル部２０の周囲から空気が吸い込まれる場合に生じ易いため、本発明は、このようなタイプの空気調和機に特に有効である。
【００７１】
（Ｃ）
上記の実施形態では、フラットパネル部２０の上下左右の４方向から空気が吸い込まれているが、フラットパネル部２０の上下２方向のみ、或いは、左右２方向のみから空気が吸い込まれる場合にも本発明は有効である。
【産業上の利用可能性】
【００７２】
本発明は、熱交換器を通過する空気の流れにおいて偏流を緩和することができる効果を有し、空気調和機として有用である。
【図面の簡単な説明】
【００７３】
【図１】空気調和機の前面図。
【図２】空気調和機の側面図。
【図３】空気調和機の側面断面図。
【図４】第１実施形態のフィルター近傍の構成を示す上面断面図および側面断面図。
【図５】第１実施形態のフィルターの前面図。
【図６】第２実施形態のフィルター近傍の構成を示す上面断面図および前面図。
【図７】第３実施形態のフィルター近傍の構成を示す上面断面図および前面図。
【図８】第４実施形態のフィルター近傍の構成を示す上面断面図および前面図。
【図９】第５実施形態のフィルター近傍の構成を示す上面断面図および前面図。
【符号の説明】
【００７４】
１              空気調和機
２              ケーシング
３ａ−３ｅ      フィルター
４              室内熱交換器（熱交換器）
５              送風装置（遠心ファン）
６              第１吹出し口
７              第２吹出し口
８              第１吸込み口
９              第２吸込み口
１０            第３吸込み口
１１            第４吸込み口
１４            空気導入口
２０            フラットパネル部（パネル部）
３１ａ，３１ｃ  第１傾斜面
３１ｄ          曲面部
３１ｂ          球面部
３１ｅ          肉厚部
３２ａ，３２ｃ  第２傾斜面
３３ａ          第３傾斜面
３４ａ          第４傾斜面
Ｐ２，Ｐ３      吹き出し通路